(57)【要約】【課題】本発明の目的は、インダクタンス値の微調整を行うことができる巻線型電子部品を提供することである。【解決手段】巻線型電子部品１０Ａは、巻芯部１２及び巻芯部１２の両端に設けられた鍔部１４ａ，１４ｂを有するコア１１、巻線１８並びに外部電極１６ａ，１６ｂを備えている。外部電極１６ａは、鍔部１４ａにおいて、巻芯部１２の軸方向と直交する方向に位置する側面Ｓ１〜Ｓ４に跨って設けられ、巻線１８の一端と接続されている。外部電極１６ｂは、鍔部１４ｂにおいて、巻芯部１２の軸方向と直交する方向に位置する側面Ｓ５〜Ｓ８に跨って設けられ、巻線１８の他端と接続されている。巻線１８の一端と外部電極１６ａとが接続される接続面Ｓ４、及び巻線１８の他端、及び外部電極１６ｂとが接続される接続面Ｓ７は、巻芯部１２の軸方向から平面視したとき、巻芯部１２の中心軸に対して異なる方向に位置する。【選択図】図１
2014120551.tif 000002
【特許請求の範囲】
【請求項１】
軸方向に沿って延在する巻芯部と、該巻芯部の該軸方向の一端に設けられた第１の鍔部と、該巻芯部の該軸方向の他端に設けられた第２の鍔部とを有するコアと、
前記巻芯部に巻き回される巻線と、
前記第１の鍔部において前記軸方向と直交する方向に位置する複数の第１の側面に跨って設けられ、かつ、前記巻線の一端と接続される第１の外部電極と、
前記第２の鍔部において前記軸方向と直交する方向に位置する複数の第２の側面に跨って設けられ、かつ、前記巻線の他端と接続される第２の外部電極と、
を備え、
前記複数の第１の側面において前記巻線の一端と前記第１の外部電極とが接続される第１の接続面、及び前記複数の第２の側面において該巻線の他端と前記第２の外部電極とが接続される第２の接続面は、前記軸方向から平面視したとき、前記巻芯部の中心軸に対して異なる方向に位置すること、
を特徴とする巻線型電子部品。
【請求項２】
前記第１の側面は、第１の実装面を含んでおり、
前記第１の外部電極は、前記軸方向から平面視したとき前記第１の側面に沿って周回し、かつ、前記軸方向から平面視したとき端部を有し、
前記第１の外部電極の一端は、前記第１の側面における前記第１の実装面以外の面に設けられていること、
を特徴とする請求項１に記載の巻線型電子部品。
【請求項３】
前記第１の接続面は、前記複数の第１の側面における前記第１の実装面以外の該第１の側面であること、
を特徴とする請求項１又は請求項２に記載の巻線型電子部品。
【請求項４】
前記第１の外部電極は、前記巻線の一端と該第１の外部電極とが接続される第１の接続部から前記第１の実装面に向かう第１の周回方向に周回し、かつ、該第１の周回方向において該第１の接続部から該第１の実装面までの区間にのみ存在すること、
を特徴とする請求項１乃至請求項３のいずれかに記載の巻線型電子部品。
【請求項５】
前記第２の側面は、第２の実装面を含んでおり、
前記第２の外部電極は、前記軸方向から平面視したとき前記第２の側面に沿って周回し、かつ、前記軸方向から平面視したとき端部を有し、
前記第２の外部電極の一端は、前記第２の側面における前記第２の実装面以外の面に設けられていること、
を特徴とする請求項１乃至請求項４のいずれかに記載の巻線型電子部品。
【請求項６】
前記第２の接続面は、前記複数の第２の側面における前記第２の実装面以外の該第２の側面であること、
を特徴とする請求項１乃至請求項５のいずれかに記載の巻線型電子部品。
【請求項７】
前記第２の外部電極は、前記巻線の他端と該第２の外部電極とが接続される第２の接続部から前記第２の実装面に向かう第２の周回方向に周回し、かつ、該第２の周回方向において該第２の接続部から該第２の実装面までの区間にのみ存在すること、
を特徴とする請求項１乃至請求項６のいずれかに記載の巻線型電子部品。
【発明の詳細な説明】
【技術分野】
【０００１】
本発明は、巻線型電子部品、特に、インダクタなどの巻線型電子部品に関するものである。
【背景技術】
【０００２】
従来の巻線型電子部品としては、例えば、特許文献１に記載の巻線コイル部品が知られている。以下に、特許文献１に記載の巻線コイル部品５００について説明する。図５は、特許文献１に記載の巻線コイル部品５００の外観斜視図である。図５において、巻芯部５０１の中心軸が延在している方向をｘ軸方向と定義し、ｘ軸方向と直交し、かつ、巻芯部５０１の中心軸から実装面に向かう方向をｙ軸方向と定義する。
【０００３】
巻線コイル部品５００は、図５に示すように、巻芯部５０１、鍔部５０２ａ，５０２ｂ、巻線５０４及び外部電極５０６ａ，５０６ｂを備えている。巻芯部５０１は、ｘ軸方向に延在している。鍔部５０２ａ，５０２ｂは、巻芯部５０１の両端に設けられている。
【０００４】
外部電極５０６ａは、鍔部５０２ａにおけるｙ軸方向の正方向側の面である実装面Ｓ５０１に設けられている。外部電極５０６ｂは、鍔部５０２ｂにおけるｙ軸方向の正方向側の面である実装面Ｓ５０２に設けられている。巻線５０４は、巻芯部５０１に巻き回され、巻線５０４の両端はそれぞれ、外部電極５０６ａ，５０６ｂに接続されている。
【０００５】
ところで、巻線コイル部品５００におけるインダクタンス値の変更方法として、巻線５０４の巻き数を変更する方法が挙げられる。しかし、巻線コイル部品５００では、巻線５０４の両端はそれぞれ、実装面Ｓ５０１，Ｓ５０２に位置する外部電極５０６ａ，５０６ｂと接続されている。これにより、巻線コイル部品５００における巻き数の変更は、１巻きや２巻きといった整数倍毎の変更に限られる。つまり、巻線コイル部品５００における巻き数の変更は、１．２５巻や１．５巻といった変更はできない。従って、巻線コイル部品５００では、インダクタンス値の微調整を行うことが困難だった。
【先行技術文献】
【特許文献】
【０００６】
【特許文献１】特開平１１−２８３８５７号公報
【発明の概要】
【発明が解決しようとする課題】
【０００７】
そこで、本発明の目的は、インダクタンス値の微調整を行うことができる巻線型電子部品を提供することである。
【課題を解決するための手段】
【０００８】
本発明の一実施形態に係る巻線型電子部品は、軸方向に沿って延在する巻芯部と、該巻芯部の該軸方向の一端に設けられた第１の鍔部と、該巻芯部の該軸方向の他端に設けられた第２の鍔部とを有するコアと、前記巻芯部に巻き回される巻線と、前記第１の鍔部において前記軸方向と直交する方向に位置する複数の第１の側面に跨って設けられ、かつ、前記巻線の一端と接続される第１の外部電極と、前記第２の鍔部において前記軸方向と直交する方向に位置する複数の第２の側面に跨って設けられ、かつ、前記巻線の他端と接続される第２の外部電極と、を備え、前記複数の第１の側面において前記巻線の一端と前記第１の外部電極とが接続される第１の接続面、及び前記複数の第２の側面において該巻線の他端と前記第２の外部電極とが接続される第２の接続面は、前記軸方向から平面視したとき、前記巻芯部の中心軸に対して異なる方向に位置すること、を特徴とする。
【０００９】
本発明に係る巻線型電子部品によれば、インダクタンス値の微調整を行うことができる。
【図面の簡単な説明】
【００１０】
【図１】第１実施例である巻線型電子部品の外観斜視図である。
【図２】第２実施例である巻線型電子部品の外観斜視図である。
【図３】第３実施例である巻線型電子部品の外観斜視図である。
【図４】第４実施例である巻線型電子部品の外観斜視図である。
【図５】特許文献１に記載の巻線コイル部品の外観斜視図である。
【発明を実施するための形態】
【００１１】
以下に、本発明の実施例に係る巻線型電子部品について説明する。
【００１２】
（第１実施例）
第１実施例である巻線型電子部品１０Ａの構成について説明する。図１は、第１実施例である巻線型電子部品１０Ａの外観斜視図である。図１において、巻芯部１２の中心軸が延在している方向をｘ軸方向と定義する。また、ｘ軸方向から平面視したときに、鍔部１４ａの長辺に沿った方向をｙ軸方向と定義し、鍔部１４ａの短辺に沿った方向をｚ軸方向と定義する。なお、ｘ軸、ｙ軸及びｚ軸は互いに直交している。
【００１３】
巻線型電子部品１０Ａは、図１に示すように、コア１１、外部電極１６ａ，１６ｂ及び巻線１８を備えている。コア１１は、例えばフェライト、アルミナ等の絶縁材料により構成され、巻芯部１２及び鍔部１４ａ，１４ｂを有している。
【００１４】
巻芯部１２は、図１に示すように、ｘ軸方向に延在している角柱状の部材である。ただし、巻芯部１２は、角柱状に限らず、円柱状や多角形状であってもよい。
【００１５】
鍔部１４ａ，１４ｂは、巻芯部１２におけるｘ軸方向の両端に設けられている。具体的には、鍔部１４ａ（第１の鍔部）は、図１に示すように、巻芯部１２のｘ軸方向の正方向側の端部に設けられている。鍔部１４ｂ（第２の鍔部）は、巻芯部１２のｘ軸方向の負方向側の端部に設けられている。また、鍔部１４ａ，１４ｂはともに、直方体状の部材であり、巻芯部１２の中心軸からｚ軸方向及びｙ軸方向に張り出した形状を成している。従って、コア１１の形状は、ｙ軸方向から平面視したときにＨ型の形状を成し、ｚ軸方向から平面視したときもＨ型の形状を成している。なお、鍔部１４ａ，１４ｂにおけるｚ軸方向の負方向側の面を、巻線型電子部品１０Ａが回路基板に実装される際に、回路基板と対向する実装面と定義する。
【００１６】
巻線１８は、図１に示すように、巻芯部１２に巻き回されている導線である。また、巻線１８のｘ軸方向の正方向側の端部を一端、巻線１８のｘ軸方向の負方向側の端部を他端とすると、巻線１８の一端は、後述する外部電極１６ａと接続され、巻線１８の他端は、後述する外部電極１６ｂと接続されている。なお、巻線１８の芯線は、銅や銀といった導電性材料を主成分としており、ポリウレタン等の絶縁材料により被覆されている。
【００１７】
外部電極１６ａ（第１の外部電極）は、図１に示すように、鍔部１４ａにおける、ｙ軸方向の正負両側の面及びｚ軸方向の正負両側の面を覆うように設けられている。つまり、外部電極１６ａは、鍔部１４ａにおけるｘ軸方向と直交する方向に位置する面（第１の側面）に跨って設けられている。これにより、外部電極１６ａは、ｘ軸方向から平面視したときに、鍔部１４ａにおけるｘ軸方向と直交する方向に位置する面に沿って周回し、リング状を成している。なお、以下で、鍔部１４ａのｚ軸方向の負方向側に位置する面を側面Ｓ１、ｙ軸方向の正方向側に位置する面を側面Ｓ２、ｚ軸方向の正方向側に位置する面を側面Ｓ３、ｙ軸方向の負方向側に位置する面を側面Ｓ４と称する。
【００１８】
外部電極１６ｂ（第２の外部電極）は、図１に示すように、鍔部１４ｂにおける、ｙ軸方向の正負両側の面及びｚ軸方向の正負両側の面を覆うように設けられている。つまり、外部電極１６ｂは、鍔部１４ｂにおけるｘ軸方向と直交する方向に位置する面（第２の側面）に跨って設けられている。これにより、外部電極１６ｂは、ｘ軸方向から平面視したときに、鍔部１４ｂにおけるｘ軸方向と直交する方向に位置する面に沿って周回し、リング状を成している。なお、以下で、鍔部１４ｂのｚ軸方向の負方向側に位置する面を側面Ｓ５、ｙ軸方向の正方向側に位置する面を側面Ｓ６、ｚ軸方向の正方向側に位置する面を側面Ｓ７、ｙ軸方向の負方向側に位置する面を側面Ｓ８と称する。
【００１９】
また、外部電極１６ａは、巻線１８の一端と側面Ｓ４（第１の接続面）において接続され、外部電極１６ｂは、巻線１８の他端と側面Ｓ７（第２の接続面）において接続されている。さらに、側面Ｓ４は、鍔部１４ａにおけるｙ軸方向の負方向側に位置する面であり、側面Ｓ７は、鍔部１４ｂにおけるｚ軸方向の正方向側に位置する面である。従って、巻線１８の一端と外部電極１６ａとが接続される面、及び、巻線１８の他端と外部電極１６ｂとが接続される面は、ｘ軸方向から平面視したとき、巻芯部１２の中心軸に対して異なる方向に位置している。なお、外部電極１６ａ，１６ｂは、Ｎｉ−Ｃｒ、Ｎｉ−Ｃｕ，Ｎｉ等のＮｉ系合金やＡｇ、Ｃｕ、Ｓｎ等により構成されている。
【００２０】
（巻線型電子部品の製造方法）
以下に、巻線型電子部品１０Ａの製造方法について説明する。
【００２１】
まず、コア１１の材料となるフェライトやアクリルを主成分とした粉末を準備する。そして、準備した粉末を雌型に充填する。充填した粉末を雄型で加圧することによって、巻芯部１２の形状及び鍔部１４ａ，１４ｂの形状を成形する。更に、加圧が終了した成型体を焼成し、コア１１が完成する。
【００２２】
次に、コア１１の鍔部１４ａ，１４ｂに外部電極１６ａ，１６ｂを形成する。より詳細には、まず、Ａｇ等のペーストが満たされた容器にコア１１の鍔部１４ａの側面Ｓ１〜Ｓ４及び鍔部１４ｂの側面Ｓ５〜Ｓ８を浸漬させて、各側面にＡｇペーストを付着させる。次に、付着したＡｇペーストを乾燥させ、焼成することによって、鍔部１４ａ，１４ｂの各側面に下地電極であるＡｇ膜を形成する。更に、電気めっきなどにより、Ｎｉ系合金の金属膜をＡｇ膜上に形成する。以上により、図１に示すような、外部電極１６ａ，１６ｂが形成される。
【００２３】
次に、図１に示すように、巻芯部１２に巻線１８を巻きつける。この際、巻線１８の両端を所定量だけ巻芯部１２から引き出しておく。そして、巻線１８の引き出された部分を外部電極１６ａ，１６ｂに対して熱圧着により接続する。以上のような工程を経て、巻線型電子部品１０Ａが完成する。
【００２４】
（効果）
以上のように構成された巻線型電子部品１０Ａによれば、インダクタンス値の微調整を行うことができる。具体的には、巻線型電子部品１０Ａでは、外部電極１６ａと巻線１８とが接続される面、及び、外部電極１６ｂと巻線１８の他端とが接続される面は、ｘ軸方向から平面視したとき、巻芯部１２の中心軸に対して異なる方向に位置している。これにより、巻線型電子部品１０Ａでは、巻線１８の巻き数を整数倍以外とすることが可能である。つまり、巻線型電子部品１０Ａでは、巻線の巻き数の微調整が可能であり、結果として、インダクタンス値の微調整を行うことができる。なお、巻線型電子部品１０Ａでは、巻線１８の巻き数は１．２５巻である。
【００２５】
また、巻線型電子部品１０Ａでは、図１に示すように、外部電極１６ａと巻線１８とが接続される面は、側面Ｓ４である。さらに、外部電極１６ｂと巻線１８とが接続される面は、側面Ｓ７である。側面Ｓ４，Ｓ７はともに、巻線型電子部品１０Ａの実装面ではない。これにより、外部電極１６ａ，１６ｂと巻線１８とを熱圧着する際に発生する巻線１８の被覆の残渣は、巻線型電子部品１０Ａの実装面である側面Ｓ４，Ｓ７には存在しない。従って、巻線型電子部品１０Ａを基板に実装する際に、巻線型電子部品１０Ａでは、巻線１８の被覆の残渣による影響がない。
【００２６】
（第２実施例）
以下に、第２実施例である巻線型電子部品１０Ｂの構成について図面を参照しながら説明する。図２は、第２実施例である巻線型電子部品１０Ｂの外観斜視図である。
【００２７】
巻線型電子部品１０Ａと巻線型電子部品１０Ｂとの相違点は、外部電極１６ａ，１６ｂの形状である。その他の点については、巻線型電子部品１０Ａと巻線型電子部品１０Ｂとでは相違しないので、説明を省略する。なお、巻線型電子部品１０Ｂにおける外部電極を外部電極１６ａ−Ｂ，１６ｂ−Ｂとする。また、図２において、巻線型電子部品１０Ａと同じ構成については、巻線型電子部品１０Ａと同じ符号を付した。
【００２８】
外部電極１６ａ−Ｂは、側面Ｓ３におけるｙ軸方向の略中央で切断されている。従って、外部電極１６ａ−Ｂは、ｘ軸方向から平面視したとき、端部を有している。これにより、外部電極１６ａ−Ｂの形状は、ｘ軸方向から平面視したときに、鍔部１４ａにおける側面Ｓ１〜Ｓ４に沿って周回し、ｚ軸方向の正方向側に開口部を有するＣの字状を成している。なお、外部電極１６ａ−Ｂの一端は、側面Ｓ３に設けられている。また、側面Ｓ３は実装面ではない。
【００２９】
また、外部電極１６ｂ−Ｂは、側面Ｓ７におけるｙ軸方向の略中央で切断されている。従って、外部電極１６ｂ−Ｂは、ｘ軸方向から平面視したとき、端部を有している。これにより、外部電極１６ｂ−Ｂの形状は、ｘ軸方向から平面視したときに、鍔部１４ｂにおける側面Ｓ５〜Ｓ８に沿って周回し、ｚ軸方向の正方向側に開口部を有するＣの字状を成している。なお、外部電極１６ｂ−Ｂの一端は、側面Ｓ７に設けられている。また、側面Ｓ７は実装面ではない。
【００３０】
以上のように構成された巻線型電子部品１０Ｂのインダクタンス値は、巻線型電子部品１０Ａのインダクタンス値より高い。具体的には、外部電極１６ａ−Ｂ，１６ｂ−Ｂの形状は、Ｃの字状を成している。つまり、巻線型電子部品１０Ｂにおける外部電極１６ａ−Ｂ，１６ｂ−Ｂの形状は、巻線型電子部品１０Ａにおける外部電極１６ａ，１６ｂのようにリング状を成していない。また、外部電極１６ａ−Ｂ，１６ｂ−Ｂが成すＣの字形状の開口部は、実装面以外の側面Ｓ３，Ｓ７に存在している。従って、外部電極１６ａ−Ｂ，１６ｂ−Ｂの形状が実装面上にあるランド電極を介して、実質的にリング状となることはない。これにより、巻線型電子部品１０Ｂでは、巻線１８で生じた磁界によって、外部電極１６ａ−Ｂ，１６ｂ−Ｂで相互誘導が発生することが抑制される。これにより、巻線型電子部品１０Ｂのインダクタンス値は、巻線型電子部品１０Ａのインダクタンス値より高い。
【００３１】
（第３実施例）
以下に、第３実施例である巻線型電子部品１０Ｃの構成について図面を参照しながら説明する。図３は、第３実施例である巻線型電子部品１０Ｃの外観斜視図である。
【００３２】
巻線型電子部品１０Ａと巻線型電子部品１０Ｃとの相違点は、外部電極１６ａ，１６ｂの形状である。その他の点については、巻線型電子部品１０Ａと巻線型電子部品１０Ｃとでは相違しないので、説明を省略する。なお、巻線型電子部品１０Ｃにおける外部電極を外部電極１６ａ−Ｃ，１６ｂ−Ｃとする。また、図３において、巻線型電子部品１０Ａと同じ構成については、巻線型電子部品１０Ａと同じ符号を付した。
【００３３】
外部電極１６ａ−Ｃは、鍔部１４ａにおいて巻線１８の一端が外部電極１６ａ−Ｃに接続する接続部Ｃ１から、側面Ｓ１（第１の実装面）に向かって周回し、かつ、接続部Ｃ１から側面Ｓ１までの区間にのみ設けられている。また、外部電極１６ｂ−Ｃは、鍔部１４ｂにおいて巻線１８の他端が外部電極１６ｂ−Ｃに接続する接続部Ｃ２から、側面Ｓ６を経由して、側面Ｓ５（第２の実装面）に向かって周回し、かつ、接続部Ｃ２から側面Ｓ５までの区間にのみ設けられている。
【００３４】
以上のように構成された巻線型電子部品１０Ｃでは、外部電極１６ａ−Ｃが、側面Ｓ２，Ｓ３及び側面Ｓ４における接続部Ｃ１よりもｚ軸方向の正方向側の部分である非形成部Ｐ１には設けられていない。さらに、外部電極１６ｂ−Ｃが、側面Ｓ７における接続部Ｃ２よりもｙ軸方向の負方向側の部分である非形成部Ｐ２及び側面Ｓ８に設けられていない。これにより、巻線型電子部品１０Ｃでは、非形成部Ｐ１，Ｐ２及び側面Ｓ２，Ｓ３，Ｓ８において渦電流が発生しない。従って、巻線型電子部品１０Ｃでは、巻線型電子部品１０Ａと比べ、高いインダクタンス値およびＱ値を得ることができる。
【００３５】
（第４実施例）
以下に、第４実施例である巻線型電子部品１０Ｄの構成について図面を参照しながら説明する。図４は、第４実施例である巻線型電子部品１０Ｄの外観斜視図である。
【００３６】
巻線型電子部品１０Ａと巻線型電子部品１０Ｄとの相違点は、鍔部１４ａ，１４ｂの形状及び外部電極１６ａ，１６ｂの形状である。その他の点については、巻線型電子部品１０Ａと巻線型電子部品１０Ｄとでは相違しないので、説明を省略する。なお、巻線型電子部品１０Ｄにおける鍔部を鍔部１４ａ−Ｄ，１４ｂ−Ｄとし、巻線型電子部品１０Ｄにおける外部電極を外部電極１６ａ−Ｄ，１６ｂ−Ｄとする。また、図４において、巻線型電子部品１０Ａと同じ構成については、巻線型電子部品１０Ａと同じ符号を付した。
【００３７】
巻線型電子部品１０Ｄにおける鍔部１４ａ−Ｄ，１４ｂ−Ｄの形状は、図４に示すように、巻線型電子部品１０Ａにおける鍔部１４ａ，１４ｂをｘ軸方向に引き延ばした形状を成している。
【００３８】
また、巻線型電子部品１０Ｄにおける外部電極１６ａ−Ｄ，１６ｂ−Ｄも、巻線型電子部品１０Ａにおける外部電極１６ａ，１６ｂをｘ軸方向に引き延ばした形状を成している。なお、外部電極１６ａ−Ｄ，１６ｂ−Ｄを通過する電流の進行方向と直交する方向における外部電極１６ａ−Ｄ，１６ｂ−Ｄの断面積は、外部電極１６ａ，１６ｂの２倍である。さらに、外部電極１６ａ−Ｄは、側面Ｓ３におけるｙ軸方向の略中央で切断され、外部電極１６ｂ−Ｄは、側面Ｓ７におけるｙ軸方向の略中央で切断されている。
【００３９】
以上のように構成された巻線型電子部品１０Ｄでは、外部電極１６ａ−Ｄ，１６ｂ−Ｄがｘ軸方向に長いため、外部電極１６ａ−Ｄ，１６ｂ−Ｄが巻線の一部として機能することを抑制することができる。結果として、巻線型電子部品１０Ｄでは、巻線１８の巻き数を整数倍以外とすることが可能である。つまり、巻線型電子部品１０Ｄでは、巻線の巻き数の微調整が可能であり、結果として、インダクタンス値の微調整を行うことができる。
【００４０】
また、巻線型電子部品１０Ｄにおける外部電極１６ａ−Ｄ，１６ｂ−Ｄの形状は、巻線型電子部品１０Ａにおける外部電極１６ａ，１６ｂのようにリング状を成していない。また、外部電極１６ａ−Ｄ，１６ｂ−Ｄが成すＣの字形状の開口部は、実装面以外の側面Ｓ３，Ｓ７に存在している。従って、外部電極１６ａ−Ｄ，１６ｂ−Ｄの形状が実装面上にあるランド電極を介して、実質的にリング状となることはない。これにより、巻線型電子部品１０Ｄでは、巻線１８で生じた磁界によって、外部電極１６ａ−Ｄ，１６ｂ−Ｄで相互誘導が発生することが抑制される。従って、巻線型電子部品１０Ｄのインダクタンス値は、巻線型電子部品１０Ａのインダクタンス値より高い。
【００４１】
さらに、巻線型電子部品１０ＤのＱ値は、巻線型電子部品１０ＡのＱ値より高い。具体的には、巻線型電子部品１０Ｄの外部電極１６ａ−Ｄは、側面Ｓ３におけるｙ軸方向の略中央で切断されている。従って、巻線型電子部品１０Ｄでは、外部電極１６ａ−Ｄに流入した電流が、側面Ｓ１，Ｓ２，Ｓ３，Ｓ４を通過して巻線１８に到達することはない。つまり、外部電極１６ａ−Ｄに流入した電流は、実装面（側面Ｓ１）から巻線１８までの最短経路である側面Ｓ１，Ｓ４を通過して巻線１８に到達する。一方、巻線型電子部品１０Ａでは、外部電極１６ａに流入した電流の一部は、側面Ｓ１，Ｓ２，Ｓ３，Ｓ４を通過して巻線１８に到達する。つまり、巻線型電子部品１０Ｄの外部電極１６ａ−Ｄにおける電流の通過経路は、巻線型電子部品１０Ａの外部電極１６ａにおける一部の電流の通過経路よりも短い。さらに、外部電極１６ａ−Ｄの断面積は、外部電極１６ａの断面積の２倍である。以上より、巻線型電子部品１０Ｄの外部電極１６ａ−Ｄで発生する電気抵抗による損失は、巻線型電子部品１０Ａの外部電極１６ａで電気抵抗により発生する損失よりも小さい。結果として、巻線型電子部品１０ＤのＱ値は、巻線型電子部品１０Ａのインダクタンス値のＱ値より高い。なお、巻線型電子部品１０Ｄの外部電極１６ｂ−Ｄについても上記と同様のことが言える。
【００４２】
（その他の実施形態）
本発明に係る巻線型電子部品は、前記実施形例に係る巻線型電子部品１０Ａ〜１０Ｄに限らずその要旨の範囲内において変更可能である。例えば、巻線型電子部品１０Ａにおいて、巻線１８の一端と外部電極１６ａとが接続される面を側面Ｓ１とすれば、巻線１８の巻き数を０．５巻とすることが可能であり、巻線１８の一端と外部電極１６ａとが接続される面を側面Ｓ２とすれば、巻線１８の巻き数を０．７５巻とすることが可能である。また、本発明の一の実施例の構成を他の実施例の構成と組み合わせてもよい。
【産業上の利用可能性】
【００４３】
以上のように、本発明は、巻線型電子部品に有用であり、特にインダクタンス値の微調整を行うことができる点において優れている。
【符号の説明】
【００４４】
Ｃ１，Ｃ２  接続部
Ｓ１〜Ｓ８  側面
１０Ａ〜１０Ｄ  巻線型電子部品
１１  コア
１２  巻芯部
１４ａ，１４ａ−Ｄ，１４ｂ，１４ｂ−Ｄ  鍔部
１６ａ，１６ａ−Ｂ〜Ｄ，１６ｂ，１６ｂ−Ｂ〜Ｄ  外部電極
１８  巻線
【図１】
2014120551.tif 000003
【図２】
2014120551.tif 000004
【図３】
2014120551.tif 000005
【図４】
2014120551.tif 000006
【図５】
2014120551.tif 000007